(57)【特許請求の範囲】
【請求項１】
プログラムデータ信号もしくは情報データ信号を受信し受信プログラムデータもしくは受信情報データを得る通信手段と、
上記通信手段により得られる上記受信プログラムデータもしくは受信情報データが新たに格納されるメモリ手段と、
上記メモリ手段に新たに格納された上記受信プログラムデータもしくは受信情報データと、それ以前に格納された既存プログラムデータもしくは既存情報データとを比較して、上記受信プログラムデータもしくは受信情報データにおける上記既存プログラムデータもしくは既存情報データに対する変化分を抽出する変化分検出手段と、
上記変化分検出手段により抽出された変化分に応じて、装置全体としての性能もしくは機能を変更するための性能／機能変更制御信号を形成し、当該性能／機能変更制御信号を送出する制御データ形成手段と
を有するデータ処理装置。
【請求項２】
上記装置外部に設けられたデータ提供装置へデータ要求データを送信する動作制御手段をさらに有し、
上記通信手段は、上記データ要求データを受信した上記データ提供装置から、上記データ要求データに応じた上記プログラムデータ信号もしくは情報データ信号を受信する
請求項１に記載のデータ処理装置。
【請求項３】
上記通信手段は、マイクロフォンに入力された音声に基づく音声データと、上記動作制御手段から供給された上記データ要求データとを時分割多重して電話信号でなる送信データを電話局へ送信することにより、上記電話局から上記送信データに応じた上記プログラムデータ信号もしくは情報データ信号を受信する
請求項２に記載のデータ処理装置。
【請求項４】
上記制御データ形成手段は、上記変化分検出手段により抽出された変化分に応じて上記装置全体としての性能を向上させる上記性能／機能変更制御信号を形成する
請求項１に記載のデータ処理装置。
【請求項５】
上記制御データ形成手段は、上記変化分検出手段により抽出された変化分に応じて上記装置全体としての機能を増加させる上記性能／機能変更制御信号を形成する
請求項１に記載のデータ処理装置。
【請求項６】
上記変化分検出手段により変化分が抽出されるとき日付表示データを形成して上記メモリ手段に保存する日付表示データ形成手段と、
表示要求に応じて、上記日付表示データを含んだ上記受信プログラムデータもしくは受信情報データの内容を表示するための表示用データを形成して送出する表示用データ形成手段と、
上記表示用データ形成手段から送出される上記表示用データに基づく画像表示を行う画像表示手段と
をさらに有する請求項１に記載のデータ処理装置。
【請求項７】
上記画像表示手段は、上記受信プログラムデータもしくは受信情報データの内容表示に重畳して、上記日付表示データに基づいて日付表示を行う
請求項６に記載のデータ処理装置。
【発明の詳細な説明】
【０００１】
【発明の属する技術分野】
本願の特許請求の範囲に記載された発明は、外部からのデータを通信手段を通じて取り込み、取り込まれたデータに応じた処理を実行して、画像表示等の種々の動作を行うデータ処理装置に関する。
【０００２】
【従来の技術】
コンピュータの目覚ましい進歩及び発展に伴い、現代は、１人の人間が複数のパーソナル・コンピュータを場所に応じて使い分ける時代となってきている。例えば、職場もしくは自宅にディスクトップ型のパーソナル・コンピュータを設置するとともに、ポータブル型のパーソナル・コンピュータ（所謂、ノートパソコン等）を持ち運び、職場もしくは自宅と出先とで、それぞれのパーソナル・コンピュータを使用するというような状況が多々見られる。
【０００３】
斯かる場合、ディスクトップ型のパーソナル・コンピュータ及びポータブル型のパーソナル・コンピュータ等とされる二つのパーソナル・コンピュータの夫々について、プログラムデータもしくは情報データの共有化が図られていれば、両パーソナル・コンピュータの各々の使用に際して極めて便利である。そこで、従来にあっては、二つのパーソナル・コンピュータを、特定のアダプタを介在させて接続ケーブルにより相互接続し、一方、例えば、ディスクトップ型のパーソナル・コンピュータに格納されたプログラムデータもしくは情報データを、他方、例えば、ポータブル型のパーソナル・コンピュータへと送り、他方におけるプログラムデータもしくは情報データを更新して、それにより二つのパーソナル・コンピュータの夫々についてのプログラムデータもしくは情報データの共有化を図ることが提案されている。
【０００４】
【発明が解決しようとする課題】
しかしながら、上述の如くにして、例えば、ディスクトップ型のパーソナル・コンピュータ及びポータブル型のパーソナル・コンピュータとされる二つのパーソナル・コンピュータの夫々についてのプログラムデータもしくは情報データの共有化を図るにあたっては、両パーソナル・コンピュータを相互接続するに際して所定のアダプタが必要とされ、しかも、一方のパーソナル・コンピュータに格納されたプログラムデータもしくは情報データを他方のパーソナル・コンピュータへと送り、他方のパーソナル・コンピュータにおけるプログラムデータもしくは情報データを更新するに際して、煩わしい操作が必要とされることになる。
【０００５】
それに加えて、他方のパーソナル・コンピュータにおけるプログラムデータもしくは情報データが更新されたとき、その更新されたプログラムデータもしくは情報データが更新前のプログラムデータもしくは情報データと如何様に異なるのかを、全体にわたって一目瞭然に把握することは困難とされる。さらに、他方のパーソナル・コンピュータにおけるプログラムデータもしくは情報データが更新されたとき、その更新されたプログラムデータもしくは情報データに追従するための、他方のパーソナル・コンピュータにおける性能もしくは機能の変更を別途に図ることが必要とされる。
【０００６】
それゆえ、こうした不都合が解消されるパーソナル・コンピュータの如くのデータ処理装置が望まれるところとなっているが、こうしたデータ処理装置は見当たらない。
【０００７】
斯かる点に鑑み、本願の特許請求の範囲に記載された発明は、通信手段を備え、その通信手段を通じて外部からのプログラムデータもしくは情報データを取り込むとともに、そのプログラムデータもしくは情報データを格納することにより、プログラムデータもしくは情報データの更新を自動的に行うことができ、さらに、更新されたプログラムデータもしくは情報データが更新前のプログラムデータもしくは情報データと如何様に異なるのかを、全体にわたって一目瞭然に把握することが可能とされ、さらには、更新されたプログラムデータもしくは情報データに追従するための性能もしくは機能の変更を自動的に行うことができて、上述の従来技術に伴う不都合が解消されることになるデータ処理装置を提供する。
【０００９】
かかる課題を解決するため本発明のデータ処理装置においては、プログラムデータ信号もしくは情報データ信号を受信し受信プログラムデータもしくは受信情報データを得る通信手段と、通信手段により得られる受信プログラムデータもしくは受信情報データが新たに格納されるメモリ手段と、メモリ手段に新たに格納された受信プログラムデータもしくは受信情報データと、それ以前に格納された既存プログラムデータもしくは既存情報データとを比較して、受信プログラムデータもしくは受信情報データにおける既存プログラムデータもしくは既存情報データに対する変化分を抽出する変化分検出手段と、変化分検出手段により抽出された変化分に応じて、装置全体としての性能もしくは機能を変更するための性能／機能変更制御信号を形成し、当該性能／機能変更制御信号を送出する制御データ形成手段とを設けるようにした。
【００１２】
本発明のデータ処理装置においては、通信手段を通じて得られる、外部からのプログラムデータ信号もしくは情報データ信号に基づく受信プログラムデータもしくは受信情報データがメモリ手段に新たに格納され、それによりプログラムデータもしくは情報データの更新が自動的に行われる。
【００１３】
それとともに本発明のデータ処理装置においては、変化分検出手段により、受信プログラムデータもしくは受信情報データにおける既存プログラムデータもしくは既存情報データに対する変化分が抽出され、制御データ形成手段によって、変化分検出手段により抽出された変化分に応じた、装置全体としての性能もしくは機能を変更するための性能／機能変更制御信号が形成されて送出される。それにより、装置全体としての性能もしくは機能が性能／機能変更制御信号に応じて変更され、従って、更新されたプログラムデータもしくは情報データに追従するための性能もしくは機能の変更が自動的に行われる。
【００１４】
このようにして、本願の特許請求の範囲における請求項１から請求項７までのいずれかに記載された発明に係るデータ処理装置によれば、前述の従来技術に伴う不都合が解消されることになる。
【００１５】
【発明の実施の形態】
図１は、本願の特許請求の範囲における請求項１から請求項１１までのいずれかに記載された発明に係るデータ処理装置の一例を示す。
【００１６】
この例にあっては、各部の動作制御を行う動作制御ユニット１０が備えられている。動作制御ユニット１０には、入力操作部１１が接続されており、入力操作部１１は、それに対する入力操作が行われるとき、入力指令信号ＳＸを送出して、それを動作制御ユニット１０に供給する。
【００１７】
動作制御ユニット１０に供給される入力操作部１１からの入力指令信号ＳＸが、外部からのデータを取り込むための通信動作を指令するものであるとき、動作制御ユニット１０は、動作制御信号ＣＴを時分割多重処理部１２に供給するととに、データ要求データＤＯＤを時分割多重処理部１２に供給する。
【００１８】
時分割多重処理部１２においては、動作制御ユニット１０からの動作制御信号ＣＴに応じたデータ処理動作が行われて、動作制御ユニット１０からのデータ要求データＤＯＤに基づく合成データＤＴＸが送出されて、それが変調部１３に供給される。変調部１３においては、合成データＤＴＸに基づく所定の搬送周波数を有したディジタル位相変調信号ＳＸＭが得られ、それが送信部１４に供給される。送信部１４においては、ディジタル位相変調信号ＳＸＭについての周波数変換及びその他の処理が行われて、データ要求データＤＯＤに応じた送信データ信号ＳＤＴが形成され、それが送受分波器１５に供給される。そして、送受分波器１５に供給された送信データ信号ＳＤＴが、送受信アンテナ１６を通じて無線送信される。
【００１９】
このようにして無線送信された送信データ信号ＳＤＴは、通信回線を形成する受信装置によって受信されるともに復調処理が施される。それにより、通信回線を形成する受信装置においてデータ要求データＤＯＤが得られ、そのデータ要求データＤＯＤが、例えば、通信回線に接続された通信機能を具えるパーソナル・コンピュータとされる、外部のデータ提供装置によって受けられる。
【００２０】
データ要求データＤＯＤを受けた外部のデータ提供装置は、データ要求データＤＯＤに応じて、プログラムデータもしくは情報データを送出する。外部のデータ提供装置から送出されたプログラムデータもしくは情報データは、通信回線を形成する送信装置によって変調処理に供されるものとされ、その結果得られるプログラムデータ信号もしくは情報データ信号が通信回線を形成する送信装置から無線送信される。
【００２１】
通信回線を形成する送信装置から無線送信されたプログラムデータ信号もしくは情報データ信号は、送受信アンテナ１６を通じて無線受信され、受信データ信号ＳＤＲとして、送受分波器１５を通じて受信部１７に供給される。受信部１７においては、受信データ信号ＳＤＲについての周波数変換及びその他の処理が行われて、ディジタル位相変調信号ＳＸＤが形成され、それが復調部１８に供給される。復調部１８においては、ディジタル位相変調信号ＳＸＤに対しての復調が行われ、復調部１８から、ディジタル位相変調信号ＳＸＤに基づく受信合成データＤＲＸが得られて、それが時分割多重処理部１２に供給される。
【００２２】
時分割多重処理部１２においては、動作制御ユニット１０からの動作制御信号ＣＴに応じた信号処理動作が行われて、復調部１８からの受信合成データＤＲＸに基づき、外部のデータ提供装置から送出されたプログラムデータもしくは情報データが、受信プログラムデータもしくは受信情報データＤＩＤとして得られる。そして、この受信プログラムデータもしくは受信情報データＤＩＤは、動作制御ユニット１０に供給される。
【００２３】
斯かるもとで、時分割多重処理部１２，変調部１３，送信部１４，送受分波器１５，送受信アンテナ１６，受信部１７及び復調部１８を含む部分は、全体として通信手段を形成している。
【００２４】
動作制御ユニット１０は、時分割多重処理部１２からの受信プログラムデータもしくは受信情報データＤＩＤを、保存データＤＭＤとしてメモリ部（メモリ手段）２０に供給し、受信プログラムデータもしくは受信情報データＤＩＤが、保存データＤＭＤとして、メモリ部２０に新たに格納されるようになす。メモリ部２０には、それ以前に格納された既存プログラムデータもしくは既存情報データが存在し、メモリ部２０における受信プログラムデータもしくは受信情報データＤＩＤの新たな格納により、実質的に、プログラムデータもしくは情報データの更新が自動的に行われることになる。
【００２５】
そして、動作制御ユニット１０において、それに内蔵された変化分検出部（変化分検出手段）２１が、メモリ部２０に新たに格納された受信プログラムデータもしくは受信情報データＤＩＤと、それ以前にメモリ部２０に格納された既存プログラムデータもしくは既存情報データとを、夫々保存データＤＭＤとしてメモリ部２０から読み出し、両者についてのデータ比較を行って、受信プログラムデータもしくは受信情報データＤＩＤにおける既存プログラムデータもしくは既存情報データに対する変化分を検出し、検出された変換分を抽出する。
【００２６】
そして、動作制御ユニット１０においては、変化分検出部２１によって、受信プログラムデータもしくは受信情報データＤＩＤにおける既存プログラムデータもしくは既存情報データに対する変化分が抽出されるとき、動作制御ユニット１０に内蔵された表示用データ形成部（表示用データ形成手段）２２が、入力操作部１１からの入力指令信号ＳＸにより設定される動作モードに応じて、変化分検出部２１により抽出された変化分に応じた変化分表示データを形成し、それをメモリ部２０に保存データＤＭＤとして格納することにより保存する。さらに、表示用データ形成部２２は、動作制御ユニット１０に対して表示要求がなされているとき、その表示要求及び動作モードに応じて、変化分表示データ、さらには、後述される日付表示データを含んだ、受信プログラムデータもしくは受信情報データＤＩＤの内容を表示するための表示用データＤＦＤ、あるいは、日付表示データを含んだ、受信プログラムデータもしくは受信情報データＤＩＤの内容を表示するための表示用データＤＦＤを形成して、それを送出する。
【００２７】
斯かる際、表示用データ形成部２２は、変化分表示データを含んだ表示用データＤＦＤを形成するにあたり、その表示用データＤＦＤを、それに基づいて受信プログラムデータもしくは受信情報データＤＩＤの内容表示がなされるとき、その内容表示において、変化分検出部２１によって検出された変化分に対応する部分が、変化分表示データに従って他の部分と異なる表示態様をもって表示されることになるデータとなす。具体的には、表示用データ形成部２２が、表示用データＤＦＤを、受信プログラムデータもしくは受信情報データＤＩＤの内容表示において、変化分検出部２１によって検出された変化分に対応する部分が、変化分表示データに従って他の部分と異なる色をもって表示されることになるデータ，変化分表示データに従って個別に表示されることになるデータ，変化分表示データに従ってアンダーラインが附加されて表示されることになるデータ等々となす。
【００２８】
また、動作制御ユニット１０において、変化分検出部２１によって、受信プログラムデータもしくは受信情報データＤＩＤにおける既存プログラムデータもしくは既存情報データに対する変化分が抽出されるとき、動作制御ユニット１０に内蔵された制御データ形成部（制御データ形成手段）２３が、変化分検出部２１により抽出された変化分に応じて、図１に示される例について、装置全体としての性能もしくは機能を変更するための性能／機能変更制御信号ＣＦを形成して、それを送出する。斯かる際、制御データ形成部２３は、性能／機能変更制御信号ＣＦを、例えば、図１に示される例の性能を、変化分検出部２１により抽出された変化分を伴う受信プログラムデータもしくは受信情報データＤＩＤに対応すべく向上させることになる制御信号、もしくは、図１に示される例の機能を、変化分検出部２１により抽出された変化分を伴う受信プログラムデータもしくは受信情報データＤＩＤに対応すべく増加させることになる制御信号となす。
【００２９】
さらに、動作制御ユニット１０において、変化分検出部２１によって、受信プログラムデータもしくは受信情報データＤＩＤにおける既存プログラムデータもしくは既存情報データに対する変化分が抽出されるとき、動作制御ユニット１０に内蔵された日付表示データ形成部（日付表示データ形成手段：図示が省略されている。）が、変化分検出部２１により変化分が抽出された日付を表示するための日付表示データを形成して、それをメモリ部２０に保存データＤＭＤとして格納することにより保存する。
【００３０】
このようなもとで、動作制御ユニット１０において、変化分検出部２１によって、受信プログラムデータもしくは受信情報データＤＩＤにおける既存プログラムデータもしくは既存情報データに対する変化分が抽出されるとき、例えば、入力操作部１１からの入力指令信号ＳＸにより、表示用データ形成部２２と日付表示データ形成部とが動作状態とされる動作モードがとられるときには、表示用データ形成部２２が、メモリ部２０に保存データＤＭＤとして格納された変化分表示データ及び日付表示データとをメモリ部２０から読み出し、変化分表示データと日付表示データとを含んだ、受信プログラムデータもしくは受信情報データＤＩＤの内容を表示するための表示用データＤＦＤを形成して、それを送出する。
【００３１】
それにより、動作制御ユニット１０から、表示用データ形成部２２が送出する変化分表示データと日付表示データとを含んだ表示用データＤＦＤが導出されて、それらが映像信号形成部２５に供給される。
【００３２】
映像信号形成部２５は、表示用データＤＦＤに基づく映像信号ＳＳを形成して、それを画像表示部（画像表示手段）２６に供給する。それにより、画像表示部２６において、映像信号ＳＳに基づき、表示用データＤＦＤに基づく画像表示、即ち、受信プログラムデータもしくは受信情報データＤＩＤの内容表示が、受信プログラムデータもしくは受信情報データＤＩＤにおける既存プログラムデータもしくは既存情報データに対する変化分に対応する部分が、他の部分と異なる表示態様をもって表示される状態のもとで行われる。斯かる際における他の部分と異なる表示態様は、具体的には、受信プログラムデータもしくは受信情報データＤＩＤにおける既存プログラムデータもしくは既存情報データに対する変化分に対応する部分が、例えば、他の部分と異なる色をもって表示される表示態様，個別に表示される表示態様、もしくは、アンダーラインが附加されて表示される表示態様とされることになる。
【００３３】
さらに、画像表示部２６においては、受信プログラムデータもしくは受信情報データＤＩＤの内容表示に重畳されて、日付表示データに基づく日付表示が行われる。
【００３４】
このようにして、画像表示部２６における受信プログラムデータもしくは受信情報データＤＩＤの内容表示が行われることにより、更新されたプログラムデータもしくは情報データ、即ち、受信プログラムデータもしくは受信情報データＤＩＤが、更新前のプログラムデータもしくは情報データ、即ち、既存プログラムデータもしくは既存情報データと如何様に異なるのかを、全体にわたって一目瞭然に把握することが可能とされる。
【００３５】
また、動作制御ユニット１０において、変化分検出部２１によって、受信プログラムデータもしくは受信情報データＤＩＤにおける既存プログラムデータもしくは既存情報データに対する変化分が抽出されるとき、例えば、入力操作部１１からの入力指令信号ＳＸにより、表示用データ形成部２２と日付表示データ形成部とに加えて、制御データ形成部２３も動作状態とされる動作モードがとられるときには、表示用データ形成部２２が、日付表示データを含んだ、受信プログラムデータもしくは受信情報データＤＩＤの内容を表示するための表示用データＤＦＤを形成し、動作制御ユニット１０から、表示用データ形成部２２が送出する日付表示データを含んだ表示用データＤＦＤが導出されて、それらが映像信号形成部２５に供給されるとともに、動作制御ユニット１０から、制御データ形成部２３が送出する性能／機能変更制御信号ＣＦが導出されて、それが、例えば、記録媒体情報再生部２７及び入力操作部１１に供給される。
【００３６】
それにより、画像表示部２６における受信プログラムデータもしくは受信情報データＤＩＤの内容表示及び日付表示が行われるとともに、性能／機能変更制御信号ＣＦの内容に応じて、更新されたプログラムデータもしくは情報データ、即ち、受信プログラムデータもしくは受信情報データＤＩＤに対応するための性能の向上が、記録媒体情報再生部２７が新たに動作可能な状態におかれることによって図られ、もしくは、更新されたプログラムデータもしくは情報データ、即ち、受信プログラムデータもしくは受信情報データＤＩＤに対応するための機能の増加が、入力操作部１１において、例えば、タッチパネル形式とされた個別操作部に、新たな個別操作部が追加されることによって図られる。
【００３７】
上述の如くに、入力操作部１１からの入力指令信号ＳＸにより、動作制御ユニット１０における表示用データ形成部２２と日付表示データ形成部とが動作状態とされる動作モードがとられるとき、動作制御ユニット１０において実行される動作制御プログラムの一例は、図２に示されるフローチャートによってあらわされるものとされる。
【００３８】
図２に示されるフローチャートにあっては、スタート後、ステップ３１において、時分割多重処理部１２から受信プログラムデータもしくは受信情報データＤＩＤが供給されているか否かを判断する。その結果、受信プログラムデータもしくは受信情報データＤＩＤが供給されていなければ、ステップ３１での判断を繰り返す。一方、受信プログラムデータもしくは受信情報データＤＩＤが供給されていれば、ステップ３２において、受信プログラムデータもしくは受信情報データＤＩＤを取り込み、保存データＤＭＤとしてメモリ部２０に供給して、受信プログラムデータもしくは受信情報データＤＩＤがメモリ部２０に新たに格納されるようになす。
【００３９】
次に、ステップ３３において、受信プログラムデータもしくは受信情報データＤＩＤの取込みが終了したか否かを判断する。その結果、受信プログラムデータもしくは受信情報データＤＩＤの取込みが終了していなければ、ステップ３２に戻る。一方、受信プログラムデータもしくは受信情報データＤＩＤの取込みが終了したときには、ステップ３４において、変化分検出部２１が、メモリ部２０に新たに格納された受信プログラムデータもしくは受信情報データＤＩＤと、それ以前にメモリ部２０に格納された既存プログラムデータもしくは既存情報データとを、夫々保存データＤＭＤとしてメモリ部２０から読み出し、両者についてのデータ比較を行う。
【００４０】
そして、ステップ３５において、変化分検出部２１が、データ比較の結果、受信プログラムデータもしくは受信情報データＤＩＤにおいて既存プログラムデータもしくは既存情報データに比しての変化があるか否かを判断する。結果、変化がなければ、ステップ３１に戻り、変化があれば、ステップ３６において、変化分検出部２１が、受信プログラムデータもしくは受信情報データＤＩＤにおける既存プログラムデータもしくは既存情報データに対する変化分を検出し、検出された変換分を抽出する。
【００４１】
続いて、ステップ３７において、表示用データ形成部２２が、変化分検出部２１により抽出された変化分に応じた変化分表示データを形成して、それをメモリ部２０に保存データＤＭＤとして格納することにより保存する。
【００４２】
次に、ステップ３８において、日付表示データ形成部が、変化分検出部２１により変化分が抽出された日付を表示するための日付表示データを形成して、それをメモリ部２０に保存データＤＭＤとして格納する。
【００４３】
そして、ステップ３９において、表示用データ形成部２２が、動作制御ユニット１０に対して表示要求がなされているか否かを判断する。その結果、表示要求がなされていないときには、ステップ３１に戻り、表示要求がなされている場合には、ステップ４０において、表示用データ形成部２２が、表示要求に応じて、変化分表示データと日付表示データとを含んだ、受信プログラムデータもしくは受信情報データＤＩＤの内容を表示するための表示用データＤＦＤを形成する。
【００４４】
続いて、ステップ４１において、表示用データ形成部２２が、ステップ４０で形成した表示用データＤＦＤを映像信号形成部２５へと送出し、その後、ステップ３１に戻る。
【００４５】
また、前述の如くに、入力操作部１１からの入力指令信号ＳＸにより、動作制御ユニット１０における表示用データ形成部２２と日付表示データ形成部と制御データ形成部２３とが動作状態とされる動作モードがとられるとき、動作制御ユニット１０において実行される動作制御プログラムの一例は、図３に示されるフローチャートによってあらわされるものとされる。
【００４６】
図３に示されるフローチャートにあっては、スタート後、ステップ５１において、時分割多重処理部１２から受信プログラムデータもしくは受信情報データＤＩＤが供給されているか否かを判断する。その結果、受信プログラムデータもしくは受信情報データＤＩＤが供給されていなければ、ステップ５１での判断を繰り返す。一方、受信プログラムデータもしくは受信情報データＤＩＤが供給されていれば、ステップ５２において、受信プログラムデータもしくは受信情報データＤＩＤを取り込み、保存データＤＭＤとしてメモリ部２０に供給して、受信プログラムデータもしくは受信情報データＤＩＤがメモリ部２０に新たに格納されるようになす。
【００４７】
次に、ステップ５３において、受信プログラムデータもしくは受信情報データＤＩＤの取込みが終了したか否かを判断する。その結果、受信プログラムデータもしくは受信情報データＤＩＤの取込みが終了していなければ、ステップ５２に戻る。一方、受信プログラムデータもしくは受信情報データＤＩＤの取込みが終了したときには、ステップ５４において、変化分検出部２１が、メモリ部２０に新たに格納された受信プログラムデータもしくは受信情報データＤＩＤと、それ以前にメモリ部２０に格納された既存プログラムデータもしくは既存情報データとを、夫々保存データＤＭＤとしてメモリ部２０から読み出し、両者についてのデータ比較を行う。
【００４８】
そして、ステップ５５において、変化分検出部２１が、データ比較の結果、受信プログラムデータもしくは受信情報データＤＩＤにおいて既存プログラムデータもしくは既存情報データに比しての変化があるか否かを判断する。結果、変化がなければ、ステップ５１に戻り、変化があれば、ステップ５６において、変化分検出部２１が、受信プログラムデータもしくは受信情報データＤＩＤにおける既存プログラムデータもしくは既存情報データに対する変化分を検出し、検出された変換分を抽出する。
【００４９】
次に、ステップ５７において、制御データ形成部２３が、変化分検出部２１により抽出された変化分に応じての性能もしくは機能の変更が必要か否かを判断する。その結果、性能もしくは機能の変更が必要である場合には、ステップ５８において、制御データ形成部２３が、変化分検出部２１により抽出された変化分に応じた性能／機能変更制御信号ＣＦを形成する。
【００５０】
そして、ステップ５９において、制御データ形成部２３が、ステップ５８で形成した性能／機能変更制御信号ＣＦを記録媒体情報再生部２７及び入力操作部１１へと送出して、ステップ６０に進む。
【００５１】
また、ステップ５７での判断の結果、性能もしくは機能の変更が必要でない場合には、ステップ５７から直接にステップ６０に進む。
【００５２】
ステップ６０においては、日付表示データ形成部が、変化分検出部２１により変化分が抽出された日付を表示するための日付表示データを形成して、それをメモリ部２０に保存データＤＭＤとして格納する。
【００５３】
続いて、ステップ６１において、表示用データ形成部２２が、動作制御ユニット１０に対して表示要求がなされているか否かを判断する。その結果、表示要求がなされていないときには、ステップ５１に戻り、表示要求がなされている場合には、ステップ６２において、表示用データ形成部２２が、表示要求に応じて、日付表示データを含んだ、受信プログラムデータもしくは受信情報データＤＩＤの内容を表示するための表示用データＤＦＤを形成する。
【００５４】
続いて、ステップ６３において、表示用データ形成部２２が、ステップ６２で形成した表示用データＤＦＤを映像信号形成部２５へと送出し、その後、ステップ５１に戻る。
【００５５】
上述の如くの図１に示される例は、電話機として機能するための構成も備えている。斯かる電話機として機能するための構成は、前述の通信手段を形成する部分と、時分割多重処理部１２に接続された符号化／復号化部７１，アナログ／ディジタル（Ａ／Ｄ）変換部７２，レベル調整部７３，マイクロフォン７４，ディジタル／アナログ（Ｄ／Ａ）変換部７５，レベル調整部７６及びスピーカ７７とによって形成される。
【００５６】
このような図１に示される例が、電話機として機能するに際しては、符号化／復号化部７１が動作制御ユニット１０からの動作制御信号ＣＣによる制御のもとに動作するとともに、時分割多重処理部１２が動作制御ユニット１０からの動作制御信号ＣＴによる制御のもとに動作する。
【００５７】
そして、マイクロフォン７４からそれに対する音声入力に応じて得られる音声信号ＱＡが、レベル調整部７３を経てＡ／Ｄ変換部７２に供給されると、Ａ／Ｄ変換部７２から、音声信号ＱＡがディジタル化されて得られるディジタル音声信号ＤＡが送出される。そして、ディジタル音声信号ＤＡは、符号化／復号化部７１に供給される。Ａ／Ｄ変換部７２からのディジタル音声信号ＤＡが供給される符号化／復号化部７１においては、ディジタル音声信号ＤＡに基づき、符号化された音声データＤＣＡが得られて、それが時分割多重処理部１２に供給される。
【００５８】
時分割多重処理部１２においては、動作制御ユニット１０からのデータ、例えば、データ要求データＤＯＤ等と符号化／復号化部７１からの符号化された音声データＤＣＡとが時分割多重されて合成データＤＴＸが形成され、その合成データＤＴＸが変調部１３に供給される。それにより、送信部１４からの電話信号とされた送信データ信号ＳＤＴが、送受分波器１５及び送受信アンテナ１６を通じてローカル無線電話局へと無線送信される。
【００５９】
また、ローカル無線電話局からの電話信号である受信データ信号ＳＤＲが、送受信アンテナ１６及び送受分波器１５を通じて受信部１７に供給される。それにより、復調部１８から受信合成データＤＲＸが時分割多重処理部１２に供給される。
【００６０】
時分割多重処理部１２においては、受信合成データＤＲＸに基づく再生音声データＤＣＢが得られ、それが符号化／復号化部７１に供給される。再生音声データＤＣＢが供給される符号化／復号化部７１においては、再生音声データＤＣＢについての復号化が行われて、再生音声データＤＣＢに基づく再生ディジタル音声信号ＤＢが得られ、それがＤ／Ａ変換部７５に供給される。
【００６１】
Ｄ／Ａ変換部７５においては、再生ディジタル音声信号ＤＢにアナログ化処理が施されて、再生ディジタル音声信号ＤＢに基づく再生音声信号ＱＢが得られ、それがレベル調整部７６を経てスピーカ７７に供給される。その結果、スピーカ７７から再生音声データＤＣＢに基づく音声が発せられる。
【００６２】
【発明の効果】
本発明によれば、通信手段を通じて得られる、外部からのプログラムデータ信号もしくは情報データ信号に基づく受信プログラムデータもしくは受信情報データがメモリ手段に新たに格納され、それによりプログラムデータもしくは情報データの更新が自動的に行われる。
【００６３】
それとともに、変化分検出手段により、受信プログラムデータもしくは受信情報データにおける既存プログラムデータもしくは既存情報データに対する変化分が検出され、表示用データ形成手段により、変化分検出手段により抽出された変化分に応じた変化分表示データが形成されて保存されるとともに、表示要求に応じて、変化分表示データを含んだ受信プログラムデータもしくは受信情報データの内容を表示するための表示用データが送出され、画像表示手段によって、表示用データに基づく画像表示が行われ、それにより、画像表示手段において、受信プログラムデータもしくは受信情報データの内容表示が、受信プログラムデータもしくは受信情報データにおける既存プログラムデータもしくは既存情報データに対する変化分に対応する部分が、変化分表示データに従って他の部分と異なる表示態様をもって表示される状態で行われる。従って、更新されたプログラムデータもしくは情報データが更新前のプログラムデータもしくは情報データと如何様に異なるのかを、全体にわたって一目瞭然に把握することができることになる。
【００６４】
また本発明によれば、通信手段を通じて得られる、外部からのプログラムデータ信号もしくは情報データ信号に基づく受信プログラムデータもしくは受信情報データがメモリ手段に新たに格納され、それによりプログラムデータもしくは情報データの更新が自動的に行われる。
【００６５】
それとともに、変化分検出手段により、受信プログラムデータもしくは受信情報データにおける既存プログラムデータもしくは既存情報データに対する変化分が抽出され、制御データ形成手段によって、変化分検出手段により抽出された変化分に応じた、装置全体としての性能もしくは機能を変更するための性能／機能変更制御信号が形成されて送出される。それにより、装置全体としての性能もしくは機能が性能／機能変更制御信号に応じて変更され、従って、更新されたプログラムデータもしくは情報データに追従するための性能もしくは機能の変更が自動的に行われることになる。
【図面の簡単な説明】
【図１】  本願の特許請求の範囲における請求項１から請求項１１までのいずれかに記載された発明に係るデータ処理装置の一例を示すブロック構成図である。
【図２】  図１に示される例に備えられた動作制御ユニットにおいて、特定の動作モードがとられるもとで実行される動作制御プログラムの一例をあらわすフローチャートである。
【図３】  図１に示される例に備えられた動作制御ユニットにおいて、他の特定の動作モードがとられるもとで実行される動作制御プログラムの一例をあらわすフローチャートである。
【符号の説明】
１０・・・動作制御ユニット，  １１・・・入力操作部，  １２・・・時分割多重処理部，  １３・・・変調部，  １４・・・送信部，  １５・・・送受分波器，  １６・・・送受信アンテナ，  １７・・・受信部，  １８・・・復調部，２０・・・メモリ部，  ２１・・・変化分検出部，  ２２・・・表示用データ形成部，  ２３・・・制御データ形成部，  ２５・・・映像信号形成部，  ２６・・・画像表示部，  ２７・・・記録媒体情報再生部，  ７１・・・符号化／復合化部，  ７２・・・Ａ／Ｄ変換部，  ７３，７６・・・レベル調整部，  ７４・・・マイクロフォン，  ７５・・・Ｄ／Ａ変換部，  ７７・・・スピーカ
【図１】
0004501045.tif 000002
【図２】
0004501045.tif 000003
【図３】
0004501045.tif 000004